(57)【要約】【課題】本発明は、汗腺と皮脂線とを効果的に刺激し、同時に、健康器の発汗作用により、コレステロールや発癌物質の一部となる重金属類をも排出することのできる遠赤外線美容健康器を提供する。【解決手段】本発明は、今日一般に使用されているサウナとは異なり、寝形態にて頭を本体外に常に出して、人間の五つの部分の適性温度に耐えられるそれぞれ異なる熱量と遠赤外線を提供し、高温・低温の発汗浴と低温の遠赤外線照射浴を選び選定し、デジタル方式の温度コントロールシステム形態にて汗腺と皮脂線の発汗作用効果を向上させた。【選択図】　図１
2004065884.tif 000002
【特許請求の範囲】
【請求項１】
寝身体（１８）の上半身と下半身の太さに適合した２個の半円筒型に形成された半円筒状内面体（▲１▼）、（▲２▼）に、２０°Ｃから６５°Ｃの範囲にデジタル方式にて、身体の適合温度にあった状態に６０分間設定して通電加熱し、寝身体（１８）の不要な体脂肪や毛根排泄を促進し、数値に弱い高齢者にも温度コントロールを簡単にできることを特徴とするデジタル方式温度コントロール遠赤外線美容健康器。
【請求項２】
２０°Ｃから６５°Ｃの遠赤外線ヒーター（▲１▼）から（▲５▼）の設定温度を目盛１から目盛９の温度記号の範囲に、プリセット・モードを設定して動作温度を固定しておき、使用者が一々本美容健康器（１０）から手を出し、温度を下げたりすることは必要とせず、強発汗浴では汗がでるまでは最初最高温度６５°Ｃから、弱発汗では６０°Ｃから、後はやや温度を下げ、低く設定することにより、最適の遠赤外線を体表面に照射することが可能な、温度数値を表示せず、目盛１から目盛９の表示文字にて動作温度を保持させた請求項１記載のデジタル方式温度コントロール遠赤外線美容健康器。
【請求項３】
遠赤外線発熱体▲１▼・▲２▼・▲３▼・▲４▼・▲５▼の各発熱面積を照射される被験者の表面積、あるいは身体の体積、身体の部位に合わせて５選別し、発熱を体面積に合致させたヒーター機能を備えることを特徴とする請求項１、請求項２記載のデジタル方式温度コントロール遠赤外線美容健康器。
【請求項４】
適切な温度と時間の発汗作用と遠赤外線効果により、皮膚呼吸と血液循環を良くし、新陳代謝を活発にし、汗腺からの大量の発汗と、皮脂線からの脂汗の排出を促すと共に、体の中に蓄積した重金属類を発汗とともに排出させる作用機能をも有することを特徴とする請求項１、請求項２、請求項３記載のデジタル方式温度コントロール遠赤外線美容健康器。
【請求項５】
６０分を越えた時点にタイマー設定表示部（２５）を点滅回転表示させる機能、タイマー終了時に電子音にてその終了を知らせる機能、ボタン操作時に電子音を鳴らす安全通知機能を具備したことを特徴とする請求項１、請求項２、請求項３、請求項４記載のデジタル方式温度コントロール遠赤外線美容健康器。
【請求項６】
本発明を工場出荷時に強発汗浴・弱発汗浴・遠赤外線浴の動作モードを予め設定しておき、購入者が自身のモード選択未設定でも、本発明に最適の安全・安心動作を開動できる機能を具備したことを特徴とする請求項１、請求項２、請求項３、請求項４、請求項５記載のデジタル方式温度コントロール遠赤外線美容健康器。
【請求項７】
本発明の遠赤外線美容健康器の本体（１１）、（１２）及び、内部の遠赤外線面状発熱体（▲１▼）〜（▲５▼）の接着には無臭性の耐熱性接着剤を使用し、遠赤外線ヒーター面（２１）にて発生する異常臭、ヒーター面の内張不織布（２２）のはがれも発生しない請求項１、請求項２、請求項３、請求項４、請求項５、請求項６記載のデジタル方式温度コントロール遠赤外線美容健康器構造。
【請求項８】
本発明の上部ドーム（１１）、及び、下部ドーム（１２）の床面とのスライド部分を、面（１９ａ）、（１９ｂ）の形態の逆Ｕ字型スライド面にし、開閉スライド動作を誰でも軽く行われるように形成させた請求項１、請求項２、請求項３、請求項４、請求項５、請求項６、請求項７記載のデジタル方式温度コントロール遠赤外線美容健康器の構造。
【発明の詳細な説明】
【０００１】
【発明の属する技術分野】
本発明は、首を外に出し、肩、胸部、腹部、腰部、太腿、膝、脛、踵、足裏等の身体の部位をくるんで、遠赤外線を全身に照射して体内から汗を発汗させ、さらなる健康増進を図る、デジタル方式の遠赤外線美容健康器に関する。
【０００２】
【従来の技術】
従来より、遠赤外線を全身に浴びせ、血行、発汗を促進させるサウナが健康に大変良いものであることが一般に知られている。
また、箱形態に構成した遠赤外線加熱手段を用い、首を出して寝形態にて全身を覆い照射するようにしたもの（特願昭５６−２１２７４４）・（特開２０００−１４０１３５）も知られているが、高齢者が無理なく頭を働かすことなく楽に身体のストレッチを行うのには操作が難しく、簡単操作の健康器具とは言えなかった。
【０００３】
【発明が解決しようとする課題】
そこで本発明は、従来、箱形態に構成し、遠赤外線加熱手段を用いて、首を出して、寝形態にて全身を覆い、その覆っている半円筒状体の内面側の面状発熱体を７０°Ｃから５５°Ｃの温度に、より好ましくは６５°Ｃから６０°Ｃに加熱するように温度数値にして、ダイオキシン類を排出していることを強調している今までの温度設定方式を、加熱時、被験者の皮膚の設定最高温度を、目盛り記号にて設定させる事により、強・弱発汗浴では汗が出るまでは高い温度浴に、発汗後にはやや温度を下げて、加熱時に最初に発生する皮膚、身体に対する刺激、さらに血圧の急激な上昇を回避することができ、本発明のみ発汗と共に重金属類を排出することができる温度設定方式を維持している。
【０００４】
今までのサウナでは、サウナ使用中に、使用者がサウナから手を出し、微妙に温度を上げたり、下げたりして微妙に数値作動設定動作を行って来たが、近年の遠赤外線ヒーターの複雑な機能は今日の世代には合致しない。
【０００５】
そこで本発明は今までの上記欠点を除去し、動作機能を簡略化し、最初の１５分ほどは、さほど発汗しないが、徐々に汗腺を刺激させて、約２０分後より発汗が始まり、最終的には、約４０分から４５分後には大量の発汗と体脂肪及び体重の減少を図かり、身体にも安全な、操作も簡単な、今までに得られないシステム機能を具備した遠赤外線美容健康器を一般に提供する。
【０００６】
【課題を解決するための手段】
上記目的を達成するために、本発明は、従来の寝形態遠赤外線健康器とことなり、下記に示す手段を行ったことにより、今までの装置では得ることのできない数値に弱い人や、病人、特に高齢者に効果を得ることができる。
（１）工場出荷時に、予め安全設定されたプリセットモードを使用し、これをスタートさせることにより、身体に安全な、心臓に負担のかからない安全温度に設定されて駆動するため、サウナ１１、１２使用中に、使用者がサウナから手を出して温度を下げたりする必要がない。
（２）上記プリセットモードにおいては、経過する時点での温度目盛表示をコントローラ２４の温度目盛デイスプレー２５、２６、２７上で見られる。また使用者の好みにより、プリセットのスタート時の温度目盛を、工場出荷時設定から、使用者の好みの自分の身体に合った健康向き温度に変更することができる。
例えば、目盛９（６５°Ｃ）から始まるモードでも目盛８（６０°Ｃ）から始められる。
【０００７】
本発明は、出荷時にプリセットされたコントローラ２４の温度設定は、寝身体１８に最も好ましい６５°Ｃからの温度にて設定され、他社の発明にはない理想的な３分割の強発汗浴、弱発汗浴、遠赤外線浴の温度設定を行うこうができる。下記にプリセットモードが推薦する照射項目名表示、時間、操作順序、目盛表示数字等の設定関係を表示する。
2004065884.tif 000003
従って、目盛り９からスタートさせれば強発汗浴に、目盛り８からスタートさせれば弱発汗浴に、目盛り３からスタートさせれば遠赤外線浴にとなる。
【０００８】
ヒーターは各々サイズ及び定格出力の異なった５枚のヒーター▲１▼、▲２▼、▲３▼、▲４▼及び▲５▼にて構成され、実際にヒーターパネル発熱体２１の発熱部面積を、▲２▼を腹部、▲１▼を肩、胸部に、▲３▼を腰部、太腿に、▲４▼を膝、脛、踵に、▲５▼を足裏、踵にと発熱部面積が順に小さくなるように設定させている。　即ち、遠赤外線及び熱が照射される部分である披験者の身体の表面積、或いは、体積値に合わせ、ヒーターパネル発熱体２１の発熱効力が小さくなっており、発熱部面積をそれに合わせ構成させている。
但し、▲５▼の足裏、踵に関しては、縦（垂直）にヒーターを設置し、主として足の裏に遠赤外線、及び熱が照射されるようにするため、他の４枚のヒーターよりも面積が小さくなった手段を講じている。
【０００９】
定格出力の異なった５枚のヒーター▲１▼、▲２▼、▲３▼、▲４▼、▲５▼はドーム１１に▲１▼と▲２▼のヒーターを、ドーム１２には▲３▼、▲４▼、▲５▼のヒーターが組み込まれている。ヒーターパネルの発熱寸法は、ヒーターパネル全寸法よりは面積は小さく、下記の大きさにて構成されている。
2004065884.tif 000004
上記ヒーターパネルデーターが示すようにワット数値、ヒーターパネル寸法、ヒーターパネル発熱体寸法等が実際に▲２▼、▲１▼、▲３▼、▲４▼、▲５▼の順に小さくなっている。
従って、本発明ではドーム１１と１２にて同じ目盛番号にて同じ温度にてヒーターパネルを発熱させるが、ドーム１１と１２では作動する発熱体の影響する広さ、即ち、発熱面積が異なる。
【００１０】
また、本発明は機能によりドーム１１と１２と足側面１３の各面の発熱体の温度を種々選択することができる手段を講じた。
例えば、ドーム１１と１２と足側面１３の三面とも全部、発汗しない遠赤外線浴モードに簡単に設定され、それを選択して浴びることができる。高齢者には最もほしい機能と言える。
ドーム１１を弱発汗浴モードに、ドーム１２を強発汗浴モードに、足側面１３を強か弱モードに、今までにあまり無い強発汗浴モードが異なった形態に、選択設定することができる。
また、ドーム１１を弱発汗浴モードから強発汗浴モードに順に変換設定できる機能が本発明にはインプットされている。デジタル方式温度コントロール遠赤外線美容健康器と言われるゆえんである。
【００１１】
サウナの使用時に床に敷かれるマット１６はアルミを蒸着したウレタンシートマットが敷かれ、その表面を（ＰＶＣ）透明ビニールカバーにて覆われているため、遠赤外線がドーム１１、１２の中にて床反射して内側に戻る。
マット１６の下面には折り畳み式のソフトな塩化ビニールシート１５が敷かれており、収納時には小さく折りたためることができる。
【００１２】
【発明の実施の形態】
【００１３】
【作用】
本発明は、上記の手段を講じたので、設定温度数字に悩ませず、数字に弱い人でも、これらの工場出荷時に設定されているプリセットモード手段を用いて簡単に操作でき、商品として、高齢者にも、子供にも適した健康器具として、使用するときは簡単な操作で温度変化表示目も見られ、また、ボタン操作時には必ず電子音が鳴り、６０分超過使用時の点滅回転の表示により、一層安全・簡単・確実に健康増進作用が楽しめる。
【００１４】
【実施例】
以下図１、図２、図３、図４、図５、図６に基づき本発明の実施例について更に詳細に説明する。
【００１５】
図１は本発明による遠赤外線美容健康器の全体構成図、図２は使用状態を変更して使用した場合の構成図、図３は面ヒーターの組み合わせ構成の側面断面図、図４は面ヒーターの断面図、図５はカーボン面状発熱体の断面図、図６はコントロールボックス構成図である。
【００１６】
図１に示すように、この遠赤外線美容健康器は半円筒状の上部ドーム１１に下部ドーム１２をスライド収納可能な状態に組み合わせ構成し、下部ドーム１２の一端は筒底部１３にて塞がれ、使用者１８は上部ドーム１１と下部ドーム１２及び床に敷かれたシート１５によつて形成される内部の空間に横たわる形態を維持する。
【００１７】
上部ドーム１１の内面には遠赤外線を放射する面ヒーター▲１▼、▲２▼が互いに接触せず、２センチ程度の離れ間隔を維持しながら、ほぼ半円筒内面にわたって設置されている。同様に、下部ドーム１２の内面にも同様に、遠赤外線を放射する面ヒーター▲３▼と▲４▼が離れて互いに接触せず２センチ程度の間隔を維持しながら前よりも小形態にて、ほぼ半円筒内面に沿った形態にて設置されている。
【００１８】
下部ドーム１２の筒底部の半円形の板１３の内部分にも面ヒーター▲５▼が設置されている。
【００１９】
ドーム１１と１２と足側面板１３の三面に組み込まれる発熱部ヒーター群▲１▼、▲２▼、▲３▼、▲４▼、▲５▼は、共に、図４、及び図５に示す断面構造にて形成されている。図４の本発明の発熱部ヒーター群▲１▼、▲２▼、▲３▼、▲４▼、▲５▼のカーボンブラック層は特開２０００−１４０１３５に開示された３層構造形成、即ち、カーボンブラックの両面をシートにて覆っただけの形態と異なり、図５に示す４層構造のグラフト化カーボン面状発熱体（ガラス繊維強化エポシキシ絶縁材料使用発熱体）２１にて、さらに優れた性能、即ち、電気絶縁性、耐湿性、耐熱性に優れた性能にて構成されている。
【００２０】
図５は４層構造のグラフト化カーボン面状発熱体（ガラス繊維強化エポシキシ絶縁材料使用発熱体）２１の構成形態を示し、下層よりカーボンヒーター３４、エポシキ樹脂３５、ガラス樹脂３６、エポシキ樹脂３７の４層構造にて形成されている。
【００２１】
本発明は遠赤外線の照射効能は生体細胞が最もよく共振活動をする波長６〜１４μｍの遠赤外線を皮膚表面に照射し、これを共鳴、吸収現象にて皮脂の排出を促進させる。
従って、本発明の遠赤外線効果は、皮膚呼吸と血液循環を良くし、新陳代謝を活発にし、汗腺からの大量の発汗と、皮脂線からの脂汗の排出を促すと共に、下表に示す様に体の中に蓄積した重金属類を発汗とともに排出させる機能を発揮させる。
今までの発明の発汗の成分は尿酸尿素と塩で、特開２０００−１４０１３５は汗腺から汗及び皮脂とともにダイオキシン類を排出することが主眼であり、重金属は主張していないが、本発明の健康器は適切な温度と時間の発汗作用により、汗腺から汗及び皮脂とともに発癌物質の一部の重金属類も適切に排出されることを明示している。
2004065884.tif 000005
【００２２】
本発明の発熱部ヒーター群▲１▼、▲２▼、▲３▼、▲４▼、▲５▼は図５の４層のグラフト化カーボン面状発熱２１を、耐熱性ナイロン不織布２０を下面に、２１の上面に、隙間隔に配置された木の桟２２と、無臭性ベニア合板２３を挿入し、最上面にＰＶＣ製合成レザー（化粧布）を、これらを無臭性接着剤を使用し接着形成させているため、他社の製品に起こるような発熱時の異常臭が発生しない、また、接着剤は耐熱性なので、他社製品で起こるような内張不織布のはがれも起こらない形態にて形成されていなければならないとしている。
【００２３】
図４のコントロールボックス発熱部ヒーター群▲１▼、▲２▼、▲３▼、▲４▼、▲５▼のカーボンブラック層は、他社と異なりコンパクトでシンプルな単純な簡単操作性をもち、どんなに機械操作が苦手な人にも、数値的に操作が苦手な人にも、お使いいただける簡単構造となっている。
【００２４】
タイマー２５には２桁デジタル液晶デイスプレー構造にて、最高６０分、最低１分までのセットが可能である。
６０分を超過すると点滅回転表示に転換し、これにより、使用者に連続設定を気づかせ、誤設定を未然に防ぐことができる。
また、発汗浴の場合には６０分異常の使用は避けることが望ましいため。万一連続設定にした場合には、その設定から１２０分で自動的に電源が切れるようになっている。
【００２５】
標示盤２６は下部ドームＢ、標示盤２７は上部ドームＡの設定温度の目盛０から目盛９までの設定記号を電気にて表示し、２６の設定が強発汗であれば２８に赤ランプを点灯し、２７の設定が強発汗であれば２９に赤ランプを点灯して表示するシステムが形成されている。３０は温度をアップさせるプッシュボタン、３１は温度をダウンさせるプッシュボタンである。
【００２６】
工場からセットされたプリセットモードはモード点灯表示にて示され、ＯＮ・ＯＦの切り替えはボタン３３にて行う。
電源のＯＮ・ＯＦを押す毎にコントロールボックスのＯＮ・ＯＦ・ＯＮ・ＯＦが繰り返される。
【００２７】
【発明の効果】
以上詳述したように、本発明のデジタル方式温度コントロール機能を用いることにより、発熱温度高さとか、照射時間とか、数値を常時インプットする紛らわしい駆動操作を行う事なく、基本的プリセットモードを駆動値にして、また、使用者の好みにより強発汗浴・弱発汗浴・遠赤外線浴にシステムを選択設定することにより、汗腺からの大量の発汗と、皮脂腺からの脂汗との２種の排出を促すとともに、汗腺から汗及び皮胆とともに発癌物質の一部の重金属類も適切に排出することができ、今までにない数値に弱い人々の健康増進に大いに寄与することができ、高齢者に特に合致し寄与することができる。
【図面の簡単な説明】
【図１】本発明によるデジタル方式温度コントロール遠赤外線美容健康器の全体構成を示す説明図である。
【図２】本発明による遠赤外線美容健康器の別の使用形態を示す説明図である。
【図３】本発明の使用状態を示す縦断面説明図である。
【図４】本発明の面ヒーター断面を示す説明図である。
【図５】本発明の面ヒーター断面図のヒーター部分の構成を詳細に示す説明図である。
【図６】本発明のコントロールボックスの構造を示す説明図である。
【符号の説明】
▲１▼、▲２▼、▲３▼、▲４▼、▲５▼・・・・・ヒーターパネル発熱体
１１・・・・・・・上部ドーム
１２・・・・・・・下部ドーム
１３・・・・・・・筒底部
１４・・・・・・・ネックカバー
１５・・・・・・・シート
１６・・・・・・・マット
１７・・・・・・・枕
１８・・・・・・・身体
１９ａ、１９ｂ、・・・・スライド面
２０・・・・・・・ナイロン不織布
２１・・・・・・・グラフト化カーボン面状発熱体
２２・・・・・・・木の桟
２３・・・・・・・無臭性ベニア合板
２４・・・・・・・コントロールボックス
２５、２６、２７・・・・標示盤
２８、２９・・・・標示盤
３０、３１・・・・プッシュボタン
３２・・・・・・・モード点灯表示
３３・・・・・・・切り替えボタン
３４・・・・・・・カーボンヒーター
３５・・・・・・・エポシキ樹脂
３６・・・・・・・ガラス樹脂
３７・・・・・・・エポシキ樹脂
【図１】
2004065884.tif 000006
【図２】
2004065884.tif 000007
【図３】
2004065884.tif 000008
【図４】
2004065884.tif 000009
【図５】
2004065884.tif 000010
【図６】
2004065884.tif 000011